(57)【要約】【課題】ハロー効果による暗部領域の黒浮きを抑制する表示装置を提供する。【解決手段】表示装置は、入力画像信号に基づいて表示が制御される画像表示面を有する画像表示パネルと、複数の部分領域に分割された画像表示面に対応して設けられた複数の光源を有し、画像表示面を照明する光源ユニット（光源装置）と、複数の部分領域毎に、光源の点灯量を算出する信号処理部と、を備える。信号処理部は、部分領域毎に、入力画像信号に基づいて点灯量を算出すると共に、部分領域のうちの１つを、当該点灯量の補正対象部分領域として設定し、当該補正対象部分領域の周囲に位置する隣接部分領域の点灯量が所定値以下である場合に、補正対象部分領域における点灯量を補正する。【選択図】図１１Ａ
2020154102.tif 000002
【特許請求の範囲】
【請求項１】
画像信号に基づいて表示が制御される画像表示面を有する画像表示パネルと、
複数の部分領域に分割された前記画像表示面に対応して設けられた複数の光源を有し、前記画像表示面を照明する光源装置と、
複数の前記部分領域毎に、前記光源の点灯量を算出する信号処理部と、
を備え、
前記信号処理部は、
前記部分領域毎に、前記画像信号に基づいて点灯量を算出すると共に、前記部分領域のうちの１つを、当該点灯量の補正対象部分領域として設定し、当該補正対象部分領域の周囲に位置する隣接部分領域の点灯量が所定値以下である場合に、前記補正対象部分領域における点灯量を補正する
表示装置。
【請求項２】
画像信号に基づいて表示が制御される画像表示面を有する画像表示パネルと、
複数の部分領域に分割された前記画像表示面に対応して設けられた複数の光源を有し、前記画像表示面を照明する光源装置と、
複数の前記部分領域毎に、前記光源の点灯量を算出する信号処理部と、
を備え、
前記信号処理部は、
前記部分領域毎に、前記画像信号に基づいて点灯量を算出すると共に、前記部分領域のうちの１つを、当該点灯量の補正対象部分領域として設定し、当該補正対象部分領域の点灯量に対し、前記補正対象部分領域の周囲に位置する隣接部分領域の点灯量の差分値が所定値以下である場合に、前記補正対象部分領域における点灯量を補正する
表示装置。
【請求項３】
画像信号に基づいて表示が制御される画像表示面を有する画像表示パネルと、
複数の部分領域に分割された前記画像表示面に対応して設けられた複数の光源を有し、前記画像表示面を照明する光源装置と、
複数の前記部分領域毎に、前記光源の点灯量を算出する信号処理部と、
を備え、
前記信号処理部は、
前記部分領域毎に、前記画像信号に基づいて点灯量を算出すると共に、前記部分領域のうちの１つを、当該点灯量の補正対象部分領域として設定し、当該補正対象部分領域の周囲に位置する隣接部分領域の点灯量が所定値以下であるか、又は、前記補正対象部分領域の点灯量に対し、前記補正対象部分領域の周囲に位置する隣接部分領域の点灯量の差分値が所定値以下である場合に、前記補正対象部分領域における点灯量を補正する
表示装置。
【請求項４】
前記信号処理部は、
前記補正対象部分領域における点灯量に対し、１以下の補正係数を乗じて前記補正対象部分領域における点灯量を補正する
請求項１から３の何れか一項に記載の表示装置。
【請求項５】
前記信号処理部は、
前記補正対象部分領域に対応する前記画像信号の明度が高いほど前記補正係数を小さくする
請求項４に記載の表示装置。
【請求項６】
前記信号処理部は、
前記補正対象部分領域に対応する前記画像信号の輝度が低いほど前記補正係数を小さくする
請求項４又は５に記載の表示装置。
【請求項７】
前記光源装置は、
前記部分領域に対向して前記光源が設けられている
請求項１から６の何れか一項に記載の表示装置。
【請求項８】
前記光源装置は、
前記部分領域の側方に前記光源が設けられている
請求項１から６の何れか一項に記載の表示装置。
【請求項９】
画像信号に基づいて画像が表示される画像表示パネルと、
前記画像表示パネルの画像表示面に対向して第１分割領域と前記第１分割領域に隣接する第２分割領域を有する光源装置と、を備え、
前記画像表示パネルは、前記画像信号に基づいて前記第１分割領域の点灯量及び前記第２分割領域の点灯量を算出し、前記第２分割領域の点灯量が所定値以下である場合に、前記第１分割領域の点灯量を小さくする
表示装置。
【請求項１０】
画像信号に基づいて画像が表示される画像表示パネルと、
前記画像表示パネルの画像表示面に対向して第１分割領域と前記第１分割領域に隣接する第２分割領域を有する光源装置と、を備え、
前記画像表示パネルは、前記画像信号に基づいて前記第１分割領域の点灯量及び前記第２分割領域の点灯量を算出し、前記第１分割領域の点灯量が前記第２分割領域の点灯量よりも所定値以上大きい場合に、前記第１分割領域の点灯量を小さくする
表示装置。
【請求項１１】
画像信号に基づいて画像が表示される画像表示パネルと、
前記画像表示パネルの画像表示面に対向して第１分割領域と前記第１分割領域に隣接する第２分割領域を有する光源装置と、を備え、
前記画像表示パネルは、前記画像信号に基づいて前記第１分割領域の点灯量及び前記第２分割領域の点灯量を算出し、前記第２分割領域の点灯量が所定値以下であるか、又は、前記第１分割領域の点灯量が前記第２分割領域の点灯量よりも所定値以上大きい場合に、前記第１分割領域の点灯量を小さくする
表示装置。
【請求項１２】
前記画像表示パネルは、
前記第１分割領域の点灯量に対し、１以下の補正係数を乗じて前記第１分割領域を点灯させる
請求項９から１１の何れか一項に記載の表示装置。
【請求項１３】
前記画像表示パネルは、
前記第１分割領域に対応する前記画像信号の明度が高いほど前記補正係数を小さくする
請求項１２に記載の表示装置。
【請求項１４】
前記画像表示パネルは、
前記第１分割領域に対応する前記画像信号の輝度が低いほど前記補正係数を小さくする
請求項１２又は１３に記載の表示装置。
【請求項１５】
前記光源装置は、
前記第１分割領域および前記第２分割領域に対向して光源が設けられている
請求項９から１４の何れか一項に記載の表示装置。
【請求項１６】
前記光源装置は、
前記第１分割領域および前記第２分割領域の側方に光源が設けられている
請求項９から１４の何れか一項に記載の表示装置。
【発明の詳細な説明】
【技術分野】
【０００１】
本発明は、表示装置に関する。
【背景技術】
【０００２】
バックライト等の光源装置を複数の領域に分割し、該分割した領域の映像信号に応じて領域毎に光源の発光を制御するローカルディミング機能を備えた表示装置が知られている。このような表示装置において、輝度が高い領域と低い領域とが混在している画像を表示した場合、輝度が高い領域に配置された光源によって、当該領域の周囲の輝度が低い領域が明るくなる、所謂黒浮きという現象が発生することがある。この現象は、所謂ハロー（Ｈａｌｏ：後光）効果として知られている。
【０００３】
上述したような輝度が高い領域と低い領域とが混在している画像を表示する場合に、例えば、輝度が高い領域の周辺の輝度が低い領域の光源の光量を補正して、違和感のない画像を表示する技術が開示されている（例えば、特許文献１）。
【先行技術文献】
【特許文献】
【０００４】
【特許文献１】特開２０１２−２２６１７８号公報
【発明の概要】
【発明が解決しようとする課題】
【０００５】
上記従来技術では、輝度が低い領域における違和感は軽減されるものの、輝度が高い領域とのコントラストが低下する。また、ハロー効果による所謂黒浮きの抑制効果は期待できないという課題がある。
【０００６】
本発明は、ハロー効果による暗部領域の黒浮きを抑制する表示装置を提供することを目的とする。
【課題を解決するための手段】
【０００７】
本発明の一態様に係る表示装置は、画像信号に基づいて表示が制御される画像表示面を有する画像表示パネルと、複数の部分領域に分割された前記画像表示面に対応して設けられた複数の光源を有し、前記画像表示面を照明する光源装置と、複数の前記部分領域毎に、前記光源の点灯量を算出する信号処理部と、を備え、前記信号処理部は、前記部分領域毎に、前記画像信号に基づいて点灯量を算出すると共に、前記部分領域のうちの１つを、当該点灯量の補正対象部分領域として設定し、当該補正対象部分領域の周囲に位置する隣接部分領域の点灯量が所定値以下である場合に、前記補正対象部分領域における点灯量を補正する。
【０００８】
また、本発明の一態様に係る表示装置は、画像信号に基づいて表示が制御される画像表示面を有する画像表示パネルと、複数の部分領域に分割された前記画像表示面に対応して設けられた複数の光源を有し、前記画像表示面を照明する光源装置と、複数の前記部分領域毎に、前記光源の点灯量を算出する信号処理部と、を備え、前記信号処理部は、前記部分領域毎に、前記画像信号に基づいて点灯量を算出すると共に、前記部分領域のうちの１つを、当該点灯量の補正対象部分領域として設定し、当該補正対象部分領域の点灯量に対し、前記補正対象部分領域の周囲に位置する隣接部分領域の点灯量の差分値が所定値以下である場合に、前記補正対象部分領域における点灯量を補正する。
【０００９】
また、本発明の一態様に係る表示装置は、画像信号に基づいて表示が制御される画像表示面を有する画像表示パネルと、複数の部分領域に分割された前記画像表示面に対応して設けられた複数の光源を有し、前記画像表示面を照明する光源装置と、複数の前記部分領域毎に、前記光源の点灯量を算出する信号処理部と、を備え、前記信号処理部は、前記部分領域毎に、前記画像信号に基づいて点灯量を算出すると共に、前記部分領域のうちの１つを、当該点灯量の補正対象部分領域として設定し、当該補正対象部分領域の周囲に位置する隣接部分領域の点灯量が所定値以下であるか、又は、前記補正対象部分領域の点灯量に対し、前記補正対象部分領域の周囲に位置する隣接部分領域の点灯量の差分値が所定値以下である場合に、前記補正対象部分領域における点灯量を補正する。
【００１０】
また、本発明の一態様に係る表示装置は、画像信号に基づいて画像が表示される画像表示パネルと、前記画像表示パネルの画像表示面に対向して第１分割領域と前記第１分割領域に隣接する第２分割領域を有する光源装置と、を備え、前記画像表示パネルは、前記画像信号に基づいて前記第１分割領域の点灯量及び前記第２分割領域の点灯量を算出し、前記第２分割領域の点灯量が所定値以下である場合に、前記第１分割領域の点灯量を小さくする。
【００１１】
また、本発明の一態様に係る表示装置は、画像信号に基づいて画像が表示される画像表示パネルと、前記画像表示パネルの画像表示面に対向して第１分割領域と前記第１分割領域に隣接する第２分割領域を有する光源装置と、を備え、前記画像表示パネルは、前記画像信号に基づいて前記第１分割領域の点灯量及び前記第２分割領域の点灯量を算出し、前記第１分割領域の点灯量が前記第２分割領域の点灯量よりも所定値以上大きい場合に、前記第１分割領域の点灯量を小さくする。
【００１２】
また、本発明の一態様に係る表示装置は、画像信号に基づいて画像が表示される画像表示パネルと、前記画像表示パネルの画像表示面に対向して第１分割領域と前記第１分割領域に隣接する第２分割領域を有する光源装置と、を備え、前記画像表示パネルは、前記画像信号に基づいて前記第１分割領域の点灯量及び前記第２分割領域の点灯量を算出し、前記第２分割領域の点灯量が所定値以下であるか、又は、前記第１分割領域の点灯量が前記第２分割領域の点灯量よりも所定値以上大きい場合に、前記第１分割領域の点灯量を小さくする。
【図面の簡単な説明】
【００１３】
【図１】図１は、実施形態１に係る表示装置の構成の一例を示すブロック図である。
【図２】図２は、実施形態１に係る画像表示パネルの概念図である。
【図３】図３は、実施形態１に係る表示装置の画面表示面を示す模式図である。
【図４】図４は、実施形態１に係る表示装置の発光領域を示す図である。
【図５】図５は、信号処理部の構成例を示す機能ブロック図である。
【図６】図６は、点灯量算出部の構成例を示す機能ブロック図である。
【図７】図７は、画像表示面上の各部分領域における点灯量の一例を示す模式図である。
【図８】図８は、各部分領域における点灯量の補正例を示す模式図である。
【図９】図９は、入力画像の一例を示す図である。
【図１０Ａ】図１０Ａは、点灯量補正部による点灯量の補正を行わない場合の画像表示例を示す図である。
【図１０Ｂ】図１０Ｂは、点灯量補正部による点灯量の補正を行った場合の画像表示例を示す図である。
【図１１Ａ】図１１Ａは、実施形態１に係る点灯量補正処理の一例を示すフローチャートである。
【図１１Ｂ】図１１Ｂは、実施形態１に係る点灯量補正処理の第２例を示すフローチャートである。
【図１１Ｃ】図１１Ｃは、実施形態１に係る点灯量補正処理の第３例を示すフローチャートである。
【図１２】図１２は、補正対象部分領域と当該補正対象部分領域に隣接する隣接部分領域を示す図である。
【図１３】図１３は、図９に示す入力画像の明部領域の視感輝度が低い場合の画像表示例を示す図である。
【図１４】図１４は、図９に示す入力画像の明部領域の視感輝度が高い場合の画像表示例を示す図である。
【図１５】図１５は、係数値ＣｏｅｆＶと明度Ｍａｘ（Ｒ，Ｇ，Ｂ）との関係を示すグラフである。
【図１６】図１６は、係数値ＣｏｅｆＹと輝度Ｙ（Ｒ，Ｇ，Ｂ）との関係を示すグラフである。
【図１７】図１７は、実施形態２に係る補正係数演算処理の一例を示すフローチャートである。
【図１８】図１８は、実施形態２の変形例に係る補正係数演算処理の一例を示すフローチャートである。
【図１９】図１９は、実施形態３に係る表示装置の画面表示面を示す模式図である。
【図２０】図２０は、実施形態３に係る表示装置の発光領域を示す図である。
【発明を実施するための形態】
【００１４】
本発明を実施するための形態（実施形態）につき、図面を参照しつつ詳細に説明する。なお、以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。また、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１５】
（実施形態１）
図１は、実施形態１に係る表示装置の構成の一例を示すブロック図である。図２は、実施形態１に係る画像表示パネルの概念図である。図１に示すように、実施形態１の表示装置１０は、信号処理部２０と、画像表示パネル４０と、光源ユニット６０（光源装置）とを有する。画像表示パネル４０は、画像表示パネル駆動部３０と表示部３３とを含む。信号処理部２０は、制御装置１１の画像出力部１２からの入力画像信号（ＲＧＢデータ）に応じて、入力画像信号に所定のデータ変換処理を加えて生成した信号を表示装置１０の各部に送る。画像表示パネル駆動部３０は、信号処理部２０からの信号に基づいて表示部３３の駆動を制御する。光源ユニット６０は、画像表示パネル４０の表示部３３に設けられた画像表示面４１を背面から照明する。画像表示パネル４０は、画像表示パネル駆動部３０からの信号及び光源ユニット６０からの光により画像を表示させる。
【００１６】
より具体的な例を以て説明すると、画像表示パネル４０は、画像を表示するための画像表示面４１でフレーム画像を表示する。実施形態１では、１つのフレーム画像を構成する複数の画素の各々のＲＧＢ階調値を示す入力画像信号が一まとまりの単位として所定期間内に信号処理部２０に入力される。信号処理部２０は、所定の１フレーム期間内に画像表示パネル４０でフレーム画像が表示されるよう、入力画像信号に基づいて出力信号及び制御信号を出力する。制御信号は、光源ユニット６０の動作を制御するための信号である。光源ユニット６０は、制御信号に応じて信号処理部２０の制御下で動作し、画像表示面４１に対応する大きさの発光領域６１から画像表示パネル４０が表示するフレーム画像に必要な明るさの光を発する。フレーム画像に必要な明るさの光とは、フレーム画像の元になった１画面分の入力信号に含まれる複数の画素の階調値のうち最大の階調値が与えられていた画素で、当該最大の階調値に対応する輝度を得るために必要な明るさの光である。信号処理部２０は、フレーム画像に必要な明るさの光を得るため、発光領域６１全体の光を一律に調節するディミング処理又は発光領域６１からの光を複数の部分領域単位で調節するローカルディミング処理を行う。
【００１７】
表示部３３は、画像表示面４１に、複数の画素４８が、２次元のマトリクス状（行列状）に配列されている。このように、表示部３３は、複数の画素４８を有する表示部として機能する。図１に示す例は、ＸＹの２次元座標系に複数の画素４８がマトリクス状に配列されている例を示している。この例において、Ｘ方向は、行方向であり、Ｙ方向は、列方向であるが、これに限られず、Ｘ方向が垂直方向であってＹ方向が水平方向であってもよい。
【００１８】
画素４８は、第１副画素４９Ｒと、第２副画素４９Ｇと、第３副画素４９Ｂのうち少なくとも２つを有する。第１副画素４９Ｒは、第１色（例えば、赤色）を表示する。第２副画素４９Ｇは、第２色（例えば、緑色）を表示する。第３副画素４９Ｂは、第３色（例えば、青色）を表示する。第１色、第２色及び第３色は、赤色、緑色及び青色に限られず、補色などでもよく、互いに色が異なっていればよい。以下において、第１副画素４９Ｒと、第２副画素４９Ｇと、第３副画素４９Ｂとをそれぞれ区別する必要がない場合、副画素４９という。すなわち、１つの副画素４９には、３色のうちいずれか１色が割り当てられている。
【００１９】
実施形態１の画像表示パネル４０は、例えば透過式のカラー液晶表示パネルである。表示部３３の画像表示面４１には、第１副画素４９Ｒと画像観察者との間に第１色を通過させる第１カラーフィルタが配置されている。また、表示部３３の画像表示面４１には、第２副画素４９Ｇと画像観察者との間に第２色を通過させる第２カラーフィルタが配置されている。また、表示部３３の画像表示面４１には、第３副画素４９Ｂと画像観察者との間に第３色を通過させる第３カラーフィルタが配置されている。
【００２０】
画像表示パネル駆動部３０は、信号出力回路３１及び走査回路３２を有する。画像表示パネル駆動部３０は、信号出力回路３１によって出力信号を保持し、順次、表示部３３に出力する。より詳しくは、信号出力回路３１は、信号処理部２０からの出力信号に応じた所定の電位を有する画像信号を、表示部３３に出力する。信号出力回路３１は、信号線ＤＴＬによって表示部３３と電気的に接続されている。走査回路３２は、表示部３３における副画素４９の動作（光透過率）を制御するためのスイッチング素子のＯＮ／ＯＦＦを制御する。当該スイッチング素子は、例えば薄膜トランジスタ（ＴＦＴ：Thin  Film  Transistor）である。走査回路３２は、走査線ＳＣＬによって表示部３３と電気的に接続されている。
【００２１】
光源ユニット６０は、画像表示パネル４０の背面に配置されている。光源ユニット６０は、画像表示パネル４０に向けて光を照射することで、画像表示パネル４０を照明する。
【００２２】
図３は、実施形態１に係る表示装置の画面表示面を示す模式図である。画像表示面４１は、複数の部分領域に区分けされる。図３では、画像表示面４１がＸ方向に沿ってＸ１，Ｘ２，…，Ｘ８のように８等分されるとともに、Ｙ方向に沿ってＹ１，Ｙ２，Ｙ３，Ｙ４のように４等分されるように区切られることで、８×４の部分領域が設けられた例を示している。また、一例として、画像表示面４１において、Ｘ方向に８００個、Ｙ方向に４８０個、すなわち、８００×４８０の画素４８がマトリクス状に並ぶ場合、図３に示す１つの部分領域は、１００×１２０の画素４８を有する。図３に示す画像表示面４１の分割例及び画像表示面４１における画素数はあくまで一例であってこれに限られるものでなく、適宜変更可能である。
【００２３】
図４は、実施形態１に係る表示装置の発光領域を示す図である。図４では、図３に示す画像表示面４１の部分領域に対応して、１つの光源６ａが配置された例を示している。光源６ａは、例えば発光ダイオード（Light  Emitting  Diode:ＬＥＤ）であるが、これは光源６ａの具体的構成の一例であってこれに限られるものでなく、適宜変更可能である。また、図４では、図３に示す画像表示面４１の各部分領域に対向して１つの光源６ａが配置された例を示したが、各部分領域で個別に点灯量の制御が可能であり、部分領域毎の点灯量を制御可能な構成であればこれに限られるものでなく適宜変更可能である。
【００２４】
次に、信号処理部２０について説明する。図５は、信号処理部の構成例を示す機能ブロック図である。信号処理部２０は、点灯量算出部２１、光源制御部２２、輝度分布計算部２３、及び画素処理部２４を備える。
【００２５】
図６は、点灯量算出部の構成例を示す機能ブロック図である。点灯量算出部２１は、画像表示面４１上の各部分領域に対応する光源６ａの点灯量を算出する。
【００２６】
図６に示すように、点灯量算出部２１は、点灯量設定部２１ａ、点灯量補正部２１ｂ、及び記憶部２１ｃを備える。
【００２７】
点灯量設定部２１ａは、入力画像信号に基づき、各部分領域に対応して設けられた各光源６ａの点灯量（第１点灯量）を設定する。点灯量設定部２１ａは、部分領域毎の点灯量（第１点灯量）の設定を全ての部分領域に対して個別に行う。
【００２８】
具体的に、点灯量設定部２１ａは、各部分領域に含まれる画素４８毎の明度を算出する。ここでは、一例として、副画素４９の各色を８ビットの階調値で示す場合について説明する。
【００２９】
８ビットの階調値は、「０」を最小値とし、「２５５」を最大値とする数値で表すことができる。本実施形態では、例えば、第２副画素４９Ｇの階調値が「２５５」である場合、当該第２副画素４９Ｇを含む画素４８の明度を１００［％］とする。また、例えば、第２副画素４９Ｇの階調値が「１２７」であり、当該第２副画素４９Ｇを含む画素４８に含まれる第１副画素４９Ｒ及び第３副画素４９Ｂの階調値が「１２７」未満である場合、当該第２副画素４９Ｇを含む画素４８の明度を５０［％］とする。すなわち、画素４８に含まれる副画素４９の階調値のうち、最大の階調値に対応する明度を、当該画素４８における明度とする。副画素４９の階調値と明度との関係は、例えば、テーブル形式のデータや演算式により算出することができる。
【００３０】
点灯量設定部２１ａは、各部分領域に含まれる全ての画素４８毎の明度を算出する。点灯量設定部２１ａは、各部分領域に含まれる全ての画素４８のうち、算出された明度が最も大きい画素４８における明度を、当該部分領域における明度として導出する。そして、当該部分領域における明度を、当該部分領域における点灯量（第１点灯量）とし、各部分領域の点灯量（第１点灯量）を含む第１点灯量情報ＢＬ１を出力する。
【００３１】
図７は、画像表示面上の各部分領域における点灯量の一例を示す模式図である。図７の各部分領域を示す矩形の内側に記載されている数値は、各部分領域における点灯量を示している。
【００３２】
点灯量補正部２１ｂは、点灯量設定部２１ａにおいて設定された各部分領域の点灯量を補正するための構成部である。点灯量補正部２１ｂは、点灯量設定部２１ａからの第１点灯量情報ＢＬ１に基づき、各部分領域における点灯量（第１点灯量）を補正し、補正後の各部分領域の点灯量（第２点灯量）を含む第２点灯量情報ＢＬ２を出力する。
【００３３】
図８は、各部分領域における点灯量の補正例を示す模式図である。図８では、図７に示すように、点灯量５０［％］の部分領域のうち、点灯量０［％］の部分領域が隣接している部分領域の点灯量を、一律３０［％］に補正している。具体的に、点灯量補正部２１ｂは、点灯量０［％］の部分領域が図８中の矢示方向に隣接している点灯量５０［％］の部分領域の点灯量５０［％］に対し、補正係数ｋ＝０．６を乗じて、補正後の点灯量（第２点灯量）を算出している。
【００３４】
なお、上述した補正係数ｋの値は一例であって、０．６に限るものではなく、適宜変更可能であるが、例えば０．６以上０．８以下の所定値であることが好ましい。補正係数ｋの値は、０よりも大きく、かつ１．０以下の値を取ることができる（０＜ｋ≦１．０）。また、部分領域の点灯量を補正する際に、当該部分領域に隣接する部分領域の点灯量は、０［％］に限るものではなく、適宜変更可能であるが、例えば１０［％］以上１５［％］未満の所定値以下であることが好ましい。
【００３５】
本実施形態において、記憶部２１ｃは、点灯量設定部２１ａにおいて副画素４９の点灯量を算出する際に用いる副画素４９の階調値と点灯量との関係を示すデータテーブル形式の離散データや演算式、及び、点灯量補正部２１ｂにおいて各部分領域における点灯量を補正する際に用いる補正係数ｋが記憶される。
【００３６】
図５に戻り、光源制御部２２は、点灯量算出部２１からの第２点灯量情報ＢＬ２に基づき、各部分領域の点灯量（第２点灯量）に応じて各光源６ａを制御するための光源制御信号を出力する。輝度分布計算部２３は、点灯量算出部２１からの第１点灯量情報ＢＬ１に基づき、各部分領域の点灯量（第１点灯量）によってもたらされる光源ユニット６０全体の輝度分布を計算する。具体的に、輝度分布計算部２３は、例えば、テーブル形式のデータや演算式により、光源ユニット６０全体の輝度分布を計算する。輝度分布計算部２３は、この輝度分布を示す輝度分布情報ＢＭを画素処理部２４に出力する。
【００３７】
画素処理部２４は、輝度分布情報ＢＭが示す輝度分布で入力画像信号に基づいた表示出力を行うための画素４８の階調値を求める。具体的に、画素処理部２４は、輝度分布計算部２３から出力される輝度分布情報ＢＭに基づき、各部分領域に含まれる画素４８を構成する副画素４９の各々の階調値を補正する。
【００３８】
次に、本実施形態に係る表示装置１０の効果について、図９、図１０Ａ、図１０Ｂを参照して説明する。図９は、入力画像の一例を示す図である。図１０Ａは、点灯量補正部による点灯量の補正を行わない場合の画像表示例を示す図である。図１０Ｂは、点灯量補正部による点灯量の補正を行った場合の画像表示例を示す図である。図９では、暗部領域４１ａの中心に明部領域４１ｂが表示されるような入力画像を例示示している。なお、図９では、画像表示面４１を複数の部分領域に区分けする境界線を明示している。
【００３９】
図９に示すように、例えば、暗部領域４１ａの中心に明部領域４１ｂが表示されるような入力画像を画像表示面４１に表示した場合、図９の破線内に示す明部領域４１ｂに重なる部分領域の光が暗部領域４１ａ側に漏れて、明部領域４１ｂの周囲の暗部領域４１ａが明るくなる、所謂黒浮き４２が生じる。この黒浮き４２は、所謂ハロー（Ｈａｌｏ：後光）効果として知られる。
【００４０】
このハロー効果による黒浮き４２は、暗部領域４１ａと明部領域４１ｂとの境界線上に存在する部分領域（図９に示す例では、破線の内側に存在し、且つ、一点鎖線の外側に存在する部分領域）だけでなく、暗部領域４１ａと明部領域４１ｂとの境界線の外側に存在する部分領域（図９に示す例では、破線の外側に存在する部分領域）においても生じる。このため、図１０Ａに示すように、点灯量補正部２１ｂによる点灯量の補正を行わない場合の画像表示例では、黒浮き４２が生じる領域が広く、かつ、明部領域４１ｂの周囲の暗部領域４１ａがより明るくなる。
【００４１】
本実施形態では、上述したように、点灯量補正部２１ｂにおいて、点灯量が所定の点灯量閾値（例えば、１０［％］以上１５［％］未満の所定値）以下の部分領域（図９に示す例では、破線の外側に存在する部分領域）に隣接する部分領域（図９に示す例では、破線の内側に存在し、且つ、一点鎖線の外側に存在する部分領域）の点灯量に対し、０よりも大きく、かつ１．０以下の所定の補正係数ｋを乗じて補正する。これにより、暗部領域４１ａと明部領域４１ｂとの境界線上に存在する部分領域（図９に示す例では、破線の内側に存在し、且つ、一点鎖線の外側に存在する部分領域）における黒浮きが抑制される。また、これに伴い、暗部領域４１ａと明部領域４１ｂとの境界線の外側に存在する部分領域（図９に示す例では、破線の外側に存在する部分領域）における黒浮きも抑制される。このため、図１０Ｂに示すように、ハロー効果による明部領域４１ｂの周囲の暗部領域４１ａの黒浮き４２を抑制することができる。具体的に、図１０Ｂに示す点灯量補正部２１ｂによる点灯量の補正を行った場合の画像表示例では、図１０Ａに示す点灯量補正部２１ｂによる点灯量の補正を行わない場合の画像表示例よりも黒浮き４２が生じる領域を狭く、かつ、明部領域４１ｂの周囲の暗部領域４１ａの明るさを暗くすることができる。
【００４２】
次に、実施形態１に係る点灯量補正部による点灯量の補正処理について、図１１Ａ、図１１Ｂ、図１１Ｃ、及び図１２を参照して説明する。
【００４３】
図１１Ａは、実施形態１に係る点灯量補正処理の第１例を示すフローチャートである。図１１Ｂは、実施形態１に係る点灯量補正処理の第２例を示すフローチャートである。図１１Ｃは、実施形態１に係る点灯量補正処理の第３例を示すフローチャートである。図１２は、補正対象部分領域と当該補正対象部分領域に隣接する隣接部分領域を示す図である。図１２に示す例では、点灯量の補正対象とする補正対象部分領域（図中網掛けした部分領域）の周囲の８方向に隣接する部分領域を隣接部分領域としている。本実施形態において、図１１Ａ、図１１Ｂ、及び図１１Ｃに示す点灯量補正処理は、主に、点灯量算出部２１の点灯量補正部２１ｂが行う。
【００４４】
図１１Ａに示す第１例において、点灯量補正部２１ｂは、隣接部分領域の点灯量ｙ２が第１閾値Ｙｔｈ１以下（ｙ２≦Ｙｔｈ１）である場合に、補正対象部分領域の点灯量ｙ１に補正係数ｋを乗じて補正（ｙ１＝ｋｙ１）する。
【００４５】
具体的に、点灯量補正部２１ｂは、図３に示す画像表示面４１の各部分領域を順次選択し、選択した部分領域を点灯量の補正対象部分領域に設定する（ステップＳ１）。なお、部分領域の選択順序により本開示が限定されるものではない。
【００４６】
続いて、点灯量補正部２１ｂは、図１２に示す隣接部分領域を順次選択し、未選択の隣接部分領域の有無を判定する（ステップＳ２）。なお、隣接部分領域の選択順序により本開示が限定されるものではない。
【００４７】
未選択の隣接部分領域がない場合、すなわち、全ての隣接部分領域が選択済みである場合（ステップＳ２；Ｎｏ）、ステップＳ１の処理に戻り、新たな補正対象部分領域を設定する。未選択の隣接部分領域がある場合（ステップＳ２；Ｙｅｓ）、当該隣接部分領域の点灯量ｙ２が所定の第１閾値Ｙｔｈ１以下であるか否か（ｙ２≦Ｙｔｈ１）を判定する（ステップＳ３）。隣接部分領域の点灯量ｙ２が第１閾値Ｙｔｈ１よりも大きい（ｙ２＞Ｙｔｈ１）場合（ステップＳ３；Ｎｏ）、ステップＳ２に戻り、新たに選択した隣接部分領域（ステップＳ２；Ｙｅｓ）に対し、ステップＳ３の処理を行う。
【００４８】
隣接部分領域の点灯量ｙ２が第１閾値Ｙｔｈ１以下（ｙ２≦Ｙｔｈ１）である場合（ステップＳ３；Ｙｅｓ）、補正対象部分領域の点灯量ｙ１に補正係数ｋを乗じて補正（ｙ１＝ｋｙ１）し（ステップＳ４）、ステップＳ１に戻る。そして、新たに設定した補正対象部分領域（ステップＳ１）に対し、ステップＳ４までの処理を繰り返す。
【００４９】
図１１Ｂに示す第２例において、点灯量補正部２１ｂは、補正対象部分領域の点灯量ｙ１に対する隣接部分領域の点灯量ｙ２の差分値が第２閾値Ｙｔｈ２以上（ｙ１−ｙ２≧Ｙｔｈ２）である場合に、補正対象部分領域の点灯量ｙ１に補正係数ｋを乗じて補正（ｙ１＝ｋｙ１）する。なお、図１１Ｂに示す第２例において、記憶部２１ｃに記憶される補正係数ｋは、例えば、補正対象部分領域の点灯量ｙ１に対する隣接部分領域の点灯量ｙ２の差分値に応じた値に設定される態様であっても良いし、当該補正係数ｋがテーブル化されて記憶部２１ｃに記憶されている態様であっても良い。また、補正対象部分領域の点灯量ｙ１に対する隣接部分領域の点灯量ｙ２の差分値が大きいほど補正係数ｋの値が小さくなるような態様であっても良い。
【００５０】
具体的に、点灯量補正部２１ｂは、未選択の隣接部分領域がある場合（ステップＳ２；Ｙｅｓ）、補正対象部分領域の点灯量ｙ１に対する隣接部分領域の点灯量ｙ２の差分値が第２閾値Ｙｔｈ２以上であるか否か（ｙ１−ｙ２≧Ｙｔｈ２）を判定する（ステップＳ３ａ）。補正対象部分領域の点灯量ｙ１に対する隣接部分領域の点灯量ｙ２の差分値が第２閾値Ｙｔｈ２よりも小さい（ｙ１−ｙ２＜Ｙｔｈ２）場合（ステップＳ３ａ；Ｎｏ）、ステップＳ２に戻り、新たに選択した隣接部分領域（ステップＳ２；Ｙｅｓ）に対し、ステップＳ３ａの処理を行う。
【００５１】
補正対象部分領域の点灯量ｙ１に対する隣接部分領域の点灯量ｙ２の差分値が第２閾値Ｙｔｈ２以上（ｙ１−ｙ２≧Ｙｔｈ２）である場合（ステップＳ３ａ；Ｙｅｓ）、補正対象部分領域の点灯量ｙ１に補正係数ｋを乗じて補正（ｙ１＝ｋｙ１）する（ステップＳ４）。
【００５２】
図１１Ｃに示す第３例では、図１１Ａに示す第１例と図１１Ｂに示す第２例とを組み合わせている。すなわち、図１１Ｃに示す第３例において、点灯量補正部２１ｂは、隣接部分領域の点灯量ｙ２が第１閾値Ｙｔｈ１以下（ｙ２≦Ｙｔｈ１）であるか、又は、補正対象部分領域の点灯量ｙ１に対する隣接部分領域の点灯量ｙ２の差分値が第２閾値Ｙｔｈ２以上（ｙ１−ｙ２≧Ｙｔｈ２）である場合に、補正対象部分領域の点灯量ｙ１に補正係数ｋを乗じて補正（ｙ１＝ｋｙ１）する。
【００５３】
具体的に、点灯量補正部２１ｂは、未選択の隣接部分領域がある場合（ステップＳ２；Ｙｅｓ）、当該隣接部分領域の点灯量ｙ２が所定の第１閾値Ｙｔｈ１以下であるか否か（ｙ２≦Ｙｔｈ１）、及び、補正対象部分領域の点灯量ｙ１に対する隣接部分領域の点灯量ｙ２の差分値ｙｔｄが第２閾値Ｙｔｈ２以上であるか否か（ｙ１−ｙ２≧Ｙｔｈ２）を判定する（ステップＳ３ｂ）。隣接部分領域の点灯量ｙ２が第１閾値Ｙｔｈ１よりも大きく（ｙ２＞Ｙｔｈ１）、且つ、補正対象部分領域の点灯量ｙ１に対する隣接部分領域の点灯量ｙ２の差分値が第２閾値Ｙｔｈ２よりも小さい（ｙ１−ｙ２＜Ｙｔｈ２）場合、（ステップＳ３ｂ；Ｎｏ）、ステップＳ２に戻り、新たに選択した隣接部分領域（ステップＳ２；Ｙｅｓ）に対し、ステップＳ３ｂの処理を行う。
【００５４】
隣接部分領域の点灯量ｙ２が第１閾値Ｙｔｈ１以下（ｙ２≦Ｙｔｈ１）であるか、又は、補正対象部分領域の点灯量ｙ１に対する隣接部分領域の点灯量ｙ２の差分値が第２閾値Ｙｔｈ２以上（ｙ１−ｙ２≧Ｙｔｈ２）である場合（ステップＳ３ｂ；Ｙｅｓ）、補正対象部分領域の点灯量ｙ１に補正係数ｋを乗じて補正（ｙ１＝ｋｙ１）する（ステップＳ４）。
【００５５】
上述した図１１Ａ、図１１Ｂ、又は図１１Ｃに示す点灯量補正処理により、暗部領域（例えば、図１０に示す暗部領域４１ａ）に隣接する明部領域（例えば、図１０に示す明部領域４１ｂ）の光量を下げることができる。これにより、ハロー効果による明部領域の周囲の暗部領域の黒浮きを抑制することができる。
【００５６】
以上説明したように、実施形態１に係る表示装置１０は、入力画像信号に基づいて表示が制御される画像表示面４１を有する画像表示パネル４０と、複数の部分領域に分割された画像表示面４１に対応して設けられた複数の光源６ａを有し、画像表示面４１を照明する光源ユニット６０（光源装置）と、複数の部分領域毎に、光源６ａの点灯量を算出する信号処理部２０と、を備える。信号処理部２０は、部分領域毎に、入力画像信号に基づいて点灯量を算出すると共に、部分領域のうちの１つを、当該点灯量の補正対象部分領域として設定し、当該補正対象部分領域の周囲に位置する隣接部分領域の点灯量ｙ２が所定の第１閾値Ｙｔｈ１以下である場合に、補正対象部分領域における点灯量ｙ１を補正する。
【００５７】
また、実施形態１に係る表示装置１０は、入力画像信号に基づいて表示が制御される画像表示面４１を有する画像表示パネル４０と、複数の部分領域に分割された画像表示面４１に対応して設けられた複数の光源６ａを有し、画像表示面４１を照明する光源ユニット６０（光源装置）と、複数の部分領域毎に、光源６ａの点灯量を算出する信号処理部２０と、を備える。信号処理部２０は、部分領域毎に、入力画像信号に基づいて点灯量を算出すると共に、部分領域のうちの１つを、当該点灯量の補正対象部分領域として設定し、当該補正対象部分領域の点灯量ｙ１に対し、補正対象部分領域の周囲に位置する隣接部分領域の点灯量ｙ２の差分値が所定の第２閾値Ｙｔｈ２以下である場合に、補正対象部分領域における点灯量ｙ１を補正する。
【００５８】
また、実施形態１に係る表示装置１０は、入力画像信号に基づいて表示が制御される画像表示面４１を有する画像表示パネル４０と、複数の部分領域に分割された画像表示面４１に対応して設けられた複数の光源６ａを有し、画像表示面４１を照明する光源ユニット６０（光源装置）と、複数の部分領域毎に、光源６ａの点灯量を算出する信号処理部２０と、を備える。信号処理部２０は、部分領域毎に、入力画像信号に基づいて点灯量を算出すると共に、部分領域のうちの１つを、当該点灯量の補正対象部分領域として設定し、当該補正対象部分領域の周囲に位置する隣接部分領域の点灯量ｙ２が所定の第１閾値Ｙｔｈ１以下であるか、又は、補正対象部分領域の点灯量ｙ１に対する隣接部分領域の点灯量ｙ２の差分値が所定の第２閾値Ｙｔｈ２以下である場合に、補正対象部分領域における点灯量ｙ１を補正する。
【００５９】
上記構成において、信号処理部２０は、補正対象部分領域における点灯量に対し、１以下の補正係数ｋを乗じて補正対象部分領域における点灯量を補正する。
【００６０】
また、実施形態１に係る表示装置１０は、「補正対象部分領域」を「第１分割領域」とし、「隣接部分領域」を「第１分割領域」とすることで、以下の態様とすることもできる。
【００６１】
具体的に、実施形態１に係る表示装置１０は、画像信号に基づいて画像が表示される画像表示パネル４０と、画像表示パネル４０の画像表示面４１に対向して第１分割領域と第１分割領域に隣接する第２分割領域を有する光源ユニット６０（光源装置）と、を備え、画像表示パネル４０は、画像信号に基づいて第１分割領域の点灯量と第２分割領域の点灯量を算出し、第２分割領域の点灯量が所定値以下である場合に、第１分割領域の点灯量を小さくする構成とすることもできる。
【００６２】
また、実施形態１に係る表示装置１０は、画像信号に基づいて画像が表示される画像表示パネル４０と、画像表示パネル４０の画像表示面４１に対向して第１分割領域と第１分割領域に隣接する第２分割領域を有する光源ユニット６０（光源装置）と、を備え、画像表示パネル４０は、画像信号に基づいて第１分割領域の点灯量と第２分割領域の点灯量を算出し、第１分割領域の点灯量が第２分割領域の点灯量よりも所定値以上大きい場合に、第１分割領域の点灯量を小さくする構成とすることもできる。
【００６３】
また、実施形態１に係る表示装置１０は、画像信号に基づいて画像が表示される画像表示パネル４０と、画像表示パネル４０の画像表示面４１に対向して第１分割領域と第１分割領域に隣接する第２分割領域を有する光源ユニット６０（光源装置）と、を備え、画像表示パネル４０は、画像信号に基づいて第１分割領域の点灯量と第２分割領域の点灯量を算出し、第２分割領域の点灯量が所定値以下であるか、又は、第１分割領域の点灯量が第２分割領域の点灯量よりも所定値以上大きい場合に、第１分割領域の点灯量を小さくする構成とすることもできる。
【００６４】
上記構成において、画像表示パネル４０は、第１分割領域の点灯量に対し、１以下の補正係数ｋを乗じて第１分割領域を点灯させる。
【００６５】
上記構成により、ハロー効果による暗部領域の黒浮きを抑制することができる。
【００６６】
本実施形態により、ハロー効果による暗部領域の黒浮きを抑制する表示装置１０を得ることができる。
【００６７】
（実施形態２）
実施形態１では、点灯量が所定値（例えば、１０［％］以上１５［％］未満の所定値）以下の部分領域に隣接する部分領域の点灯量を、当該部分領域における点灯量に補正係数ｋを乗じて補正する例を示したが、実施形態２では、補正係数ｋの値を、入力画像信号に応じて算出する例について説明する。なお、上述した実施形態１と同等あるいは同一の構成部については、重複する説明を省略する。
【００６８】
実施形態１では、部分領域毎の明度を当該部分領域の点灯量としたが、本実施形態では、さらに、明度と輝度との関係に着目する。例えば、図９に示す明部領域４１ｂの明度が略等しい場合であっても、例えば、明部領域４１ｂが青や赤のウィンドウ表示である場合には、明部領域４１ｂが緑のウィンドウ表示である場合よりも輝度が低くなる。このように、明部領域４１ｂの明度が略等しい場合であっても、明部領域４１ｂの輝度が低い場合には、明部領域４１ｂの輝度が高い場合よりも、ハロー効果による明部領域４１ｂの周囲の暗部領域４１ａの黒浮き４２が目立つ場合がある。
【００６９】
以下の説明では、入力階調を（Ｒｉｎ，Ｇｉｎ，Ｂｉｎ）とする。入力階調（Ｒｉｎ，Ｇｉｎ，Ｂｉｎ）は、入力画像信号に基づいて導出可能な情報である。入力階調（Ｒｉｎ，Ｇｉｎ，Ｂｉｎ）は、複数の画素４８に対して個別に与えられている。Ｒｉｎは、第１副画素４９Ｒの階調値に対応する。Ｇｉｎは、第２副画素４９Ｇの階調値に対応する。Ｂｉｎは、第３副画素４９Ｂの階調値に対応する。すなわち、フレーム画像を構成する入力画像信号には、複数の画素４８に対して個別に与えられた入力階調（Ｒｉｎ，Ｇｉｎ，Ｂｉｎ）を導出可能な情報が含まれている。入力階調（Ｒｉｎ，Ｇｉｎ，Ｂｉｎ）を導出可能な情報は、例えばＲＧＢデータ（Ｒ，Ｇ，Ｂ）である。
【００７０】
入力ＲＧＢデータ（Ｒ，Ｇ，Ｂ）の輝度Ｙ（Ｒ，Ｇ，Ｂ）は、下記（１）式で表すことができる。
【００７１】
Ｙ（Ｒ，Ｇ，Ｂ）＝０．２５＊Ｒ＋０．５＊Ｇ＋０．２５＊Ｂ  ・・・（１）
【００７２】
なお、輝度Ｙ（Ｒ，Ｇ，Ｂ）は、ＩＴＵ−ＲのＢＴ．７０９で規定された（１’）式、又は、ＩＴＵ−ＲのＢＴ．６０１で規定された（１”）式を用いることも可能である。
【００７３】
Ｙ（Ｒ，Ｇ，Ｂ）＝０．２１２６＊Ｒ＋０．７１５２＊Ｇ＋０．０７２２＊Ｂ
・・・（１’）
【００７４】
Ｙ（Ｒ，Ｇ，Ｂ）＝０．２９９＊Ｒ＋０．５８７＊Ｇ＋０．１４４＊Ｂ
・・・（１”）
【００７５】
以下、上記（１）式、（１’）式、（１”）式で表せる輝度Ｙ（Ｒ，Ｇ，Ｂ）を、「視感輝度」とも称する。
【００７６】
図１３は、図９に示す入力画像の明部領域の視感輝度が低い場合の画像表示例を示す図である。図１４は、図９に示す入力画像の明部領域の視感輝度が高い場合の画像表示例を示す図である。図１３及び図１４では、それぞれ明部領域４１ｂの明度が略等しく、視感輝度が異なる例を示している。
【００７７】
図１３に示す入力画像の明部領域４１ｂの視感輝度が低い例として、例えば、明部領域４１ｂが青や赤のウィンドウ表示である場合が想定される。また、図１４に示す入力画像の明部領域４１ｂの視感輝度が高い例として、例えば、明部領域４１ｂが緑のウィンドウ表示である場合が想定される。このように、明部領域４１ｂの明度が略等しい場合であっても、明部領域４１ｂの視感輝度が低い場合には（図１３参照）、明部領域４１ｂの視感輝度が高い場合よりも（図１４参照）、ハロー効果による明部領域４１ｂの周囲の暗部領域４１ａの黒浮き４２が目立つこととなる。
【００７８】
本実施形態では、部分領域ごとに、入力画像信号の明度及び輝度に応じて算出した補正係数ｋを算出し、算出した補正係数ｋを用いて補正対象部分領域の点灯量を補正する。これにより、ハロー効果による明部領域４１ｂの周囲の暗部領域４１ａの黒浮き４２を効果的に抑制することができる。以下、信号処理部２０の各部が行う処理内容について説明する。
【００７９】
本実施形態において、点灯量算出部２１の点灯量補正部２１ｂは、各部分領域に含まれる全ての画素４８毎の輝度Ｙ（Ｒ，Ｇ，Ｂ）を算出し、各部分領域に含まれる全ての画素４８のうち、算出された輝度Ｙ（Ｒ，Ｇ，Ｂ）が最も大きい画素４８における輝度Ｙ（Ｒ，Ｇ，Ｂ）を、当該部分領域における輝度Ｙ（Ｒ，Ｇ，Ｂ）として導出する。
【００８０】
また、本実施形態において、点灯量算出部２１の点灯量補正部２１ｂは、各部分領域に含まれる全ての画素４８毎の明度をＭａｘ（Ｒ，Ｇ，Ｂ）として算出し、各部分領域に含まれる全ての画素４８のうち、算出された明度Ｍａｘ（Ｒ，Ｇ，Ｂ）が最も大きい画素４８における明度Ｍａｘ（Ｒ，Ｇ，Ｂ）を、当該部分領域における明度Ｍａｘ（Ｒ，Ｇ，Ｂ）として導出する。
【００８１】
また、本実施形態において、補正係数ｋは、点灯量補正部２１ｂが算出する。本実施形態における補正係数ｋの算出式は、以下の（２）式として表せる。
【００８２】
ｋ＝（１．０−Ｇ）＊Ｃｏｅｆ＋Ｇ  ・・・（２）
【００８３】
上記（２）式において、Ｇは、実施形態１において説明した補正係数ｋと同値である。すなわち、例えば０．６以上０．８以下の所定値とすることができる。
【００８４】
また、上記（２）式において、Ｃｏｅｆは、下記（３）式で表せる係数値である。
【００８５】
Ｃｏｅｆ＝ａ＊ＣｏｅｆＹ＋ｂ＊ＣｏｅｆＶ  ・・・（３）
【００８６】
上記（３）式において、ａ及びｂは、０以上１以下の定数であり、ａ＋ｂ≦１の関係を有する。これらの値は、画像表示パネル４０の特性に合わせて適宜設定すれば良い。
【００８７】
また、上記（３）式において、ＣｏｅｆＶは、各部分領域における明度Ｍａｘ（Ｒ，Ｇ，Ｂ）に対する係数値である。本実施形態において、明度Ｍａｘ（Ｒ，Ｇ，Ｂ）は、１００［％］を１．０に正規化した場合の値を示している。
【００８８】
図１５は、係数値ＣｏｅｆＶと明度Ｍａｘ（Ｒ，Ｇ，Ｂ）との関係を示すグラフである。本実施形態において、参照データ２２ｆは、図１５に示す係数値ＣｏｅｆＶと明度Ｍａｘ（Ｒ，Ｇ，Ｂ）との関係を示す明度係数マップを含む。
【００８９】
図１５において、横軸は明度Ｍａｘ（Ｒ，Ｇ，Ｂ）を示し、縦軸は係数値ＣｏｅｆＶを示している。係数値ＣｏｅｆＶは、０以上１．０以下（０≦ＣｏｅｆＶ≦１．０）の任意の値を取り得る。また、明度Ｍａｘ（Ｒ，Ｇ，Ｂ）は、０以上１．０以下（０≦Ｍａｘ（Ｒ，Ｇ，Ｂ）≦１．０）の任意の値を取り得る。係数値ＣｏｅｆＶは、明度Ｍａｘ（Ｒ，Ｇ，Ｂ）の値が０以上Ｖ未満の領域では「１．０」、明度Ｍａｘ（Ｒ，Ｇ，Ｂ）の値がＶ以上１．０以下の領域では、「０」以上「１．０」以下の範囲内において、明度Ｍａｘ（Ｒ，Ｇ，Ｂ）の値が大きいほど係数値ＣｏｅｆＶが小さくなるようにしている。明度Ｍａｘ（Ｒ，Ｇ，Ｂ）の値Ｖは、例えば、０．４以上０．８以下（０．４≦Ｖ≦０．８）の任意の値に設定することができる。
【００９０】
なお、明度Ｍａｘ（Ｒ，Ｇ，Ｂ）の値Ｖは一例であって、上述した値に限るものではない。
【００９１】
また、上記（３）式において、ＣｏｅｆＹは、輝度Ｙ（Ｒ，Ｇ，Ｂ）に対する係数値である。本実施形態において、輝度Ｙ（Ｒ，Ｇ，Ｂ）は、赤１００％、緑１００％、青１００％における輝度Ｙ（Ｒ，Ｇ，Ｂ）を１．０に正規化した場合の値を示している。
【００９２】
図１６は、係数値ＣｏｅｆＹと輝度Ｙ（Ｒ，Ｇ，Ｂ）との関係を示すグラフである。本実施形態において、参照データ２２ｆは、図１６に示す係数値ＣｏｅｆＹと輝度Ｙ（Ｒ，Ｇ，Ｂ）との関係を示す輝度係数マップを含む。
【００９３】
図１６において、横軸は輝度Ｙ（Ｒ，Ｇ，Ｂ）を示し、縦軸は係数値ＣｏｅｆＹを示している。係数値ＣｏｅｆＹは、０以上１．０以下（０≦ＣｏｅｆＹ≦１．０）の任意の値を取り得る。また、輝度Ｙ（Ｒ，Ｇ，Ｂ）は、０以上１．０以下（０≦Ｙ（Ｒ，Ｇ，Ｂ）≦１．０）の任意の値を取り得る。係数値ＣｏｅｆＹは、輝度Ｙ（Ｒ，Ｇ，Ｂ）の値が０以上Ｙ１未満の領域では「０」、輝度Ｙ（Ｒ，Ｇ，Ｂ）の値がＹ２以上１．０以下の領域では「１．０」となり、輝度Ｙ（Ｒ，Ｇ，Ｂ）の値がＹ１以上Ｙ２未満の領域では、「０」以上「１．０」以下の範囲内において、輝度Ｙ（Ｒ，Ｇ，Ｂ）の値が小さいほど係数値ＣｏｅｆＹが小さくなるようにしている。輝度Ｙ（Ｒ，Ｇ，Ｂ）の値Ｙ１は、例えば、０以上０．３以下（０≦Ｙ１≦０．３）の任意の値に設定することができる。輝度Ｙ（Ｒ，Ｇ，Ｂ）の値Ｙ２は、例えば、０．６以上０．８以下（０．６≦Ｙ２≦０．８）の任意の値に設定することができる。
【００９４】
なお、輝度Ｙ（Ｒ，Ｇ，Ｂ）の値Ｙ１及びＹ２は一例であって、上述した値に限るものではない。
【００９５】
本実施形態において、記憶部２１ｃは、図１５に示す明度係数カーブ（実線）をトレースするデータテーブル形式の離散データや演算式、及び、図１６に示す輝度係数カーブ（実線）をトレースするデータテーブル形式の離散データや演算式が記憶される。
【００９６】
次に、実施形態２に係る補正係数ｋの演算処理について、図１７を参照して説明する。
【００９７】
図１７は、実施形態２に係る補正係数演算処理の一例を示すフローチャートである。本実施形態において、図１７に示す実施形態２に係る補正係数演算処理は、主に、点灯量算出部２１の点灯量補正部２１ｂが行う。
【００９８】
点灯量補正部２１ｂは、まず、図３に示す画像表示面４１の各部分領域を順次選択し、選択した部分領域を補正対象部分領域に設定する（ステップＳ１１）。なお、部分領域の選択順序により本開示が限定されるものではない。
【００９９】
点灯量補正部２１ｂは、補正対象部分領域における係数値Ｃｏｅｆの最大値ＭａｘＣｏｅｆを「１．０」、当該補正対象部分領域内の各画素４８の明度Ｍａｘ（Ｒ，Ｇ，Ｂ）の最大値ＭａｘＶを「０．０」に初期設定する（ステップＳ１２）。
【０１００】
続いて、点灯量補正部２１ｂは、補正対象部分領域内の画素４８を順次選択し、当該画素４８の明度Ｍａｘ（Ｒ，Ｇ，Ｂ）が補正対象部分領域における明度Ｍａｘ（Ｒ，Ｇ，Ｂ）の最大値ＭａｘＶよりも大きい（Ｍａｘ（Ｒ，Ｇ，Ｂ）＞ＭａｘＶ）か否かを判定する（ステップＳ１３）。なお、補正対象部分領域内の画素４８の選択順序により本開示が限定されるものではない。
【０１０１】
選択した画素４８の明度Ｍａｘ（Ｒ，Ｇ，Ｂ）が補正対象部分領域における明度Ｍａｘ（Ｒ，Ｇ，Ｂ）の最大値ＭａｘＶ以下（Ｍａｘ（Ｒ，Ｇ，Ｂ）≦ＭａｘＶ）である場合（ステップＳ１３；Ｎｏ）、点灯量補正部２１ｂは、当該画素４８の明度Ｍａｘ（Ｒ，Ｇ，Ｂ）が補正対象部分領域における明度Ｍａｘ（Ｒ，Ｇ，Ｂ）の最大値ＭａｘＶと略等しい（Ｍａｘ（Ｒ，Ｇ，Ｂ）＝ＭａｘＶ）か否かを判定し（ステップＳ１４）、画素４８の明度Ｍａｘ（Ｒ，Ｇ，Ｂ）が補正対象部分領域における明度Ｍａｘ（Ｒ，Ｇ，Ｂ）の最大値ＭａｘＶ未満（Ｍａｘ（Ｒ，Ｇ，Ｂ）＜ＭａｘＶ）であれば（ステップＳ１４；Ｎｏ）、ステップＳ１３に戻り、新たに選択した画素４８に対し、ステップＳ１３以降の処理を繰り返す。
【０１０２】
画素４８の明度Ｍａｘ（Ｒ，Ｇ，Ｂ）が補正対象部分領域における明度Ｍａｘ（Ｒ，Ｇ，Ｂ）の最大値ＭａｘＶと略等しい場合（ステップＳ１４；Ｙｅｓ）、点灯量補正部２１ｂは、上述した（３）式を用いて、係数値Ｃｏｅｆを算出する（ステップＳ１５）。
【０１０３】
続いて、点灯量補正部２１ｂは、ステップＳ１５において算出した係数値Ｃｏｅｆが補正対象部分領域における係数値Ｃｏｅｆの最大値ＭａｘＣｏｅｆよりも大きい（Ｃｏｅｆ＞ＭａｘＣｏｅｆ）か否かを判定する（ステップＳ１６）。
【０１０４】
ステップＳ１５において算出した係数値Ｃｏｅｆが補正対象部分領域における係数値Ｃｏｅｆの最大値ＭａｘＣｏｅｆ以下（Ｃｏｅｆ≦ＭａｘＣｏｅｆ）である場合（ステップＳ１６；Ｎｏ）、ステップＳ１３に戻り、新たに選択した画素４８に対し、ステップＳ１３以降の処理を繰り返す。
【０１０５】
ステップＳ１５において算出した係数値Ｃｏｅｆが補正対象部分領域における係数値Ｃｏｅｆの最大値ＭａｘＣｏｅｆよりも大きい（Ｃｏｅｆ＞ＭａｘＣｏｅｆ）場合（ステップＳ１６；Ｙｅｓ）、点灯量補正部２１ｂは、当該係数値Ｃｏｅｆを補正対象部分領域における係数値Ｃｏｅｆの最大値ＭａｘＣｏｅｆとして設定する（ステップＳ１７）。
【０１０６】
選択した画素４８の明度Ｍａｘ（Ｒ，Ｇ，Ｂ）が補正対象部分領域における明度Ｍａｘ（Ｒ，Ｇ，Ｂ）の最大値ＭａｘＶよりも大きい（Ｍａｘ（Ｒ，Ｇ，Ｂ）＞ＭａｘＶ）場合（ステップＳ１３；Ｙｅｓ）、点灯量補正部２１ｂは、上述した（３）式を用いて係数値Ｃｏｅｆを算出し（ステップＳ１８）、当該係数値Ｃｏｅｆを補正対象部分領域における係数値Ｃｏｅｆの最大値ＭａｘＣｏｅｆとして設定すると共に、選択した画素４８の明度Ｍａｘ（Ｒ，Ｇ，Ｂ）を補正対象部分領域における明度Ｍａｘ（Ｒ，Ｇ，Ｂ）の最大値ＭａｘＶとして設定する。（ステップＳ１９）。
【０１０７】
点灯量補正部２１ｂは、補正対象部分領域内の各画素４８のうち、未選択の画素４８の有無を判定する（ステップＳ２０）。未選択の画素４８がある場合（ステップＳ２０；Ｎｏ）、ステップＳ１３に戻り、新たに選択した画素４８に対し、ステップＳ１３以降の処理を繰り返す。
【０１０８】
未選択の画素４８がない場合（ステップＳ２０；Ｙｅｓ）、点灯量補正部２１ｂは、上述した（２）式を用いて、当該補正対象部分領域の点灯量に対する補正係数ｋを算出し（ステップＳ２１）、ステップＳ１１の処理に戻り、新たな補正対象部分領域を設定する。
【０１０９】
上述した補正係数演算処理により、例えば、図９に示す明部領域４１ｂにおける輝度Ｙ（Ｒ，Ｇ，Ｂ）の値が大きいほど補正係数ｋの値を小さくすることができる。これにより、例えば、図１３に示すように、明部領域４１ｂの視感輝度が高い場合に、ハロー効果による明部領域４１ｂの周囲の暗部領域４１ａの黒浮き４２を効果的に抑制することができる。また、例えば、図９に示す明部領域４１ｂにおける明度Ｍａｘ（Ｒ，Ｇ，Ｂ）の値が小さいほど補正係数ｋの値を小さくすることができる。これにより、例えば、図１４に示すように、明部領域４１ｂの明度が低い場合でも、ハロー効果による明部領域４１ｂの周囲の暗部領域４１ａの黒浮き４２を効果的に抑制することができる。
【０１１０】
（変形例）
図１８は、実施形態２の変形例に係る補正係数演算処理の一例を示すフローチャートである。本実施形態において、図１８に示す実施形態２の変形例に係る補正係数演算処理は、主に、点灯量算出部２１の点灯量補正部２１ｂが行う。
【０１１１】
点灯量補正部２１ｂは、まず、図３に示す画像表示面４１の各部分領域を順次選択し、選択した部分領域を補正対象部分領域に設定する（ステップＳ３１）。なお、部分領域の選択順序により本開示が限定されるものではない。
【０１１２】
点灯量補正部２１ｂは、補正対象部分領域における係数値Ｃｏｅｆの最大値ＭａｘＣｏｅｆを「１．０」に初期設定する（ステップＳ３２）。
【０１１３】
続いて、点灯量補正部２１ｂは、補正対象部分領域内の画素４８を順次選択し、上述した（３）式を用いて、係数値Ｃｏｅｆを算出する（ステップＳ３３）。
【０１１４】
続いて、点灯量補正部２１ｂは、ステップＳ３２において算出した係数値Ｃｏｅｆが補正対象部分領域における係数値Ｃｏｅｆの最大値ＭａｘＣｏｅｆよりも大きい（Ｃｏｅｆ＞ＭａｘＣｏｅｆ）か否かを判定する（ステップＳ３４）。
【０１１５】
ステップＳ３３において算出した係数値Ｃｏｅｆが補正対象部分領域における係数値Ｃｏｅｆの最大値ＭａｘＣｏｅｆ以下（Ｃｏｅｆ≦ＭａｘＣｏｅｆ）である場合（ステップＳ３４；Ｎｏ）、ステップＳ３３に戻り、新たに選択した画素４８に対し、ステップＳ３３以降の処理を繰り返す。
【０１１６】
ステップＳ３３において算出した係数値Ｃｏｅｆが補正対象部分領域における係数値Ｃｏｅｆの最大値ＭａｘＣｏｅｆよりも大きい（Ｃｏｅｆ＞ＭａｘＣｏｅｆ）場合（ステップＳ３４；Ｙｅｓ）、点灯量補正部２１ｂは、当該係数値Ｃｏｅｆを補正対象部分領域における係数値Ｃｏｅｆの最大値ＭａｘＣｏｅｆとして設定する（ステップＳ３５）。
【０１１７】
点灯量補正部２１ｂは、補正対象部分領域内の各画素４８のうち、未選択の画素４８の有無を判定する（ステップＳ３６）。未選択の画素４８がある場合（ステップＳ３６；Ｎｏ）、ステップＳ３３に戻り、新たに選択した画素４８に対し、ステップＳ３３以降の処理を繰り返す。
【０１１８】
未選択の画素４８がない場合（ステップＳ３６；Ｙｅｓ）、点灯量補正部２１ｂは、上述した（２）式を用いて、当該補正対象部分領域の点灯量に対する補正係数ｋを算出し（ステップＳ３７）、ステップＳ３１の処理に戻り、新たな補正対象部分領域を設定する。
【０１１９】
実施形態２の変形例においても、上述した補正係数演算処理により、例えば、図９に示す明部領域４１ｂにおける輝度Ｙ（Ｒ，Ｇ，Ｂ）の値が大きいほど補正係数ｋの値を小さくすることができる。これにより、例えば、図１３に示すように、明部領域４１ｂの視感輝度が高い場合に、ハロー効果による明部領域４１ｂの周囲の暗部領域４１ａの黒浮き４２を効果的に抑制することができる。また、例えば、図９に示す明部領域４１ｂにおける明度Ｍａｘ（Ｒ，Ｇ，Ｂ）の値が大きいほど補正係数ｋの値を小さくすることができる。これにより、例えば、図１４に示すように、明部領域４１ｂの明度が低い場合でも、ハロー効果による明部領域４１ｂの周囲の暗部領域４１ａの黒浮き４２を効果的に抑制することができる。
【０１２０】
上述したように、実施形態２及び実施形態２の変形例に係る表示装置１０によれば、部分領域ごとに、輝度Ｙ（Ｒ，Ｇ，Ｂ）及び明度Ｍａｘ（Ｒ，Ｇ，Ｂ）に応じて算出した補正係数ｋを算出し、算出した補正係数ｋを用いて補正対象部分領域の点灯量を補正する。これにより、ハロー効果による明部領域の周囲の暗部領域の黒浮きを効果的に抑制することができる。
【０１２１】
以上説明したように、実施形態２において、制御装置１１は、補正対象部分領域に対応する入力画像信号の明度が高いほど補正係数ｋを小さくする。これにより、明部領域の輝度が高い場合に、ハロー効果による暗部領域の黒浮きを効果的に抑制することができる。
【０１２２】
また、制御装置１１は、補正対象部分領域に対応する入力画像信号の視感輝度が低いほど補正係数ｋを小さくする。これにより、明部領域の明度が低い場合でも、ハロー効果による暗部領域の黒浮きを効果的に抑制することができる。
【０１２３】
本実施形態により、ハロー効果による暗部領域の黒浮きを抑制する表示装置１０を得ることができる。
【０１２４】
（実施形態３）
図１９は、実施形態３に係る表示装置の画面表示面を示す模式図である。本実施形態において、画像表示面４１は、図１９に示すように、画像表示面４１がＸ方向に沿ってＸ１，Ｘ２，…，Ｘ８のように８等分されるとともに、Ｙ方向に沿ってＹａ，Ｙｂのように２等分されるように区切られることで、８×２の部分領域が設けられる。また、一例として、画像表示面４１において、Ｘ方向に８００個、Ｙ方向に４８０個、すなわち、８００×４８０の画素４８がマトリクス状に並ぶ場合、図１９に示す１つの部分領域は、１００×２４０の画素４８を有する。図１９に示す画像表示面４１の分割例及び画像表示面４１における画素数はあくまで一例であってこれに限られるものでなく、適宜変更可能である。
【０１２５】
図２０は、実施形態３に係る表示装置の発光領域を示す図である。図２０では、図１９に示す画像表示面４１の部分領域に対応して、１つの光源６ａが配置された例を示している。光源６ｂは、実施形態１において説明した光源６ａと同様に、例えば発光ダイオード（Light  Emitting  Diode:ＬＥＤ）であるが、これは光源６ｂの具体的構成の一例であって、これに限らず、例えばマイクロＬＥＤやミニＬＥＤであっても良く、適宜変更可能である。
【０１２６】
図２０に示す例において、光源６ｂの光は、発光領域６１に導光板（不図示）を設けて画像表示面４１側に光を誘導する態様である。また、図２０では、発光領域６１のＹ方向の両端に、各部分領域の側方に１つの光源６ｂが配置された例を示したが、各部分領域で個別に点灯量の制御が可能であり、部分領域毎の点灯量を制御可能な構成であればこれに限られるものでなく適宜変更可能である。
【０１２７】
図１９及び図２０に示す構成においても、上述した実施形態１，２と同様の処理を行うことで、ハロー効果による暗部領域の黒浮きを抑制することができる。
【０１２８】
具体的に、実施形態１において説明した点灯量補正処理（図１１参照）により、暗部領域に隣接する明部領域の光量を下げることができる。これにより、ハロー効果による明部領域の周囲の暗部領域の黒浮きを抑制することができる。
【０１２９】
また、具体的に、実施形態２において説明した補正係数演算処理（図１７参照）、又は、実施形態２の変形例において説明した補正係数演算処理（図１８参照）により、明部領域の輝度Ｙ（Ｒ，Ｇ，Ｂ）の値が大きいほど補正係数ｋの値を小さくすることができる。これにより、例えば、明部領域の視感輝度が高い場合に、ハロー効果による明部領域の周囲の暗部領域の黒浮きを効果的に抑制することができる。また、明部領域の明度Ｍａｘ（Ｒ，Ｇ，Ｂ）の値が大きいほど補正係数ｋの値を小さくすることができる。これにより、明部領域の明度が低い場合でも、ハロー効果による明部領域の周囲の暗部領域の黒浮きを効果的に抑制することができる。
【０１３０】
以上、本発明の好適な実施の形態を説明したが、本発明はこのような実施の形態に限定されるものではない。実施の形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。
【符号の説明】
【０１３１】
１０  表示装置
１１  制御装置
２０  信号処理部
２１  点灯量算出部
２１ａ  点灯量設定部
２１ｂ  点灯量補正部
２１ｃ  記憶部
２２  光源制御部
２３  輝度分布計算部
２４  画素処理部
３０  画像表示パネル駆動部
３１  信号出力回路
３２  走査回路
３３  表示部
４０  画像表示パネル
４１  画像表示面
４１ａ  暗部領域
４１ｂ  明部領域
４２  黒浮き
４８  画素
４９Ｒ  第１副画素
４９Ｇ  第２副画素
４９Ｂ  第３副画素
６０  光源ユニット（光源装置）
６ａ，６ｂ  光源
ＤＴＬ  信号線
ＳＣＬ  走査線
【図１】
2020154102.tif 000003
【図２】
2020154102.tif 000004
【図３】
2020154102.tif 000005
【図４】
2020154102.tif 000006
【図５】
2020154102.tif 000007
【図６】
2020154102.tif 000008
【図７】
2020154102.tif 000009
【図８】
2020154102.tif 000010
【図９】
2020154102.tif 000011
【図１０Ａ】
2020154102.tif 000012
【図１０Ｂ】
2020154102.tif 000013
【図１１Ａ】
2020154102.tif 000014
【図１１Ｂ】
2020154102.tif 000015
【図１１Ｃ】
2020154102.tif 000016
【図１２】
2020154102.tif 000017
【図１３】
2020154102.tif 000018
【図１４】
2020154102.tif 000019
【図１５】
2020154102.tif 000020
【図１６】
2020154102.tif 000021
【図１７】
2020154102.tif 000022
【図１８】
2020154102.tif 000023
【図１９】
2020154102.tif 000024
【図２０】
2020154102.tif 000025